(57)【要約】【課題】  受光面積を増やし、受光面積の変化による電力のロスを軽減して、発電効率を高めることができるソーラーパネルを提供する。【解決手段】  ほぼ円形状に配列された複数のソーラーセル１１〜１６と、複数のソーラーセル１１〜１６のすべてが互いに接近する中心部付近に設けられて、複数のソーラーセル１１〜１６を電気的に接続する複数の接続部１７〜２１とを備えている。従って、複数のソーラーセル１１〜１６のすべてが互いに接近する中心部付近に複数の接続部１７〜２１を集約することができるので、複数の接続部１７〜２１による受光面積の減少を軽減することができると共に、ソーラーセル上を移動する指針７などによる受光面積の変動を軽減することができる。【選択図】        図４
2014049723.tif 000002
【特許請求の範囲】
【請求項１】
ほぼ円形状に配列された複数の扇形状のソーラーセルと、
前記複数の扇形状のソーラーセルのすべてが互いに接近する中心部付近に設けられ、かつ前記複数の扇形状のソーラーセルを電気的に接続する複数の接続部と、
前記複数の扇形状のソーラーセルのすべてが互いに接近する中心部に設けられ、指針を運針させるための指針軸が挿入する軸挿入孔と、
を備えていることを特徴とするソーラーパネル。
【請求項２】
前記複数の扇形状のソーラーセルは、それぞれ受光面積が同じ大きさになるように形成されていることを特徴とする請求項１に記載のソーラーパネル。
【請求項３】
前記複数の接続部は、互いに隣接する前記複数の扇形状のソーラーセルを順次直列に接続することを特徴とする請求項１または請求項２に記載のソーラーパネル。
【請求項４】
前記複数の扇形状のソーラーセルは、下部電極と上部電極との間に発電層を有しており、前記複数の接続部は、前記複数の扇形状のソーラーセルのうち、互いに隣接する一方の扇形状のソーラーセルの前記下部電極と、これに隣接する他方の扇形状のソーラーセルの前記上部電極とを、それぞれ接続することを特徴とする請求項３に記載のソーラーパネル。
【請求項５】
前記複数の接続部は、前記軸挿入孔の外周に沿って環状に設けられていることを特徴とする請求項１〜請求項４のいずれかに記載のソーラーパネル。
【請求項６】
前記複数の接続部は、前記複数の扇形状のソーラーセルがｎ個である場合に、ｎ−１個であることを特徴とする請求項１〜請求項５のいずれかに記載のソーラーパネル。
【発明の詳細な説明】
【技術分野】
【０００１】
この発明は、時計などの電子機器に用いられるソーラーパネルに関する。
【背景技術】
【０００２】
例えば、腕時計に用いられるソーラーパネルにおいては、特許文献１に記載されているように、下部電極と上部電極との間に発電層を有する複数のソーラーセルを円形状に配列し、これら複数のソーラーセルをその外周において複数の接続部によって電気的に接続した構成のものが知られている。
【先行技術文献】
【特許文献】
【０００３】
【特許文献１】特開平１０−３９０５７号公報
【０００４】
このようなソーラーパネルは、複数の接続部によって互いに隣接するソーラーセル同士を電気的に接続する際に、ソーラーセルの外周部において、互いに隣接する一方のソーラーセルの下部電極と、これに隣接する他方のソーラーセルの上部電極とを、接続部によって接続することにより、複数のソーラーセルを電気的に接続するように構成されている。
【発明の概要】
【発明が解決しようとする課題】
【０００５】
しかしながら、このようなソーラーパネルでは、各ソーラーセルの外周部に複数の接続部を設けているため、これら複数の接続部を見切り板で隠す際に、この見切り板によって複数のソーラーセルにおける外周部の受光部も隠れてしまい、各ソーラーセルの受光面積が大幅に減少するという問題がある。
【０００６】
また、このようなソーラーパネルでは、複数のソーラーセルのうち、面積が一番小さいソーラーセルの電流量によって全体の電流量が決まってしまうため、ソーラーパネル上を移動する複数の指針の位置により、各ソーラーセルの受光面積が大きく変化してしまう。このため、このソーラーパネルでは、受光面積が減少し、発電した電力のロスが多くなり、発電効率が悪いという問題がある。
【０００７】
この発明が解決しようとする課題は、受光面積を増やし、受光面積の変化による電力のロスを軽減して、発電効率を高めることができるソーラーパネルを提供することである。
【課題を解決するための手段】
【０００８】
この発明は、ほぼ円形状に配列された複数の扇形状のソーラーセルと、前記複数の扇形状のソーラーセルのすべてが互いに接近する中心部付近に設けられ、かつ前記複数の扇形状のソーラーセルを電気的に接続する複数の接続部と、前記複数の扇形状のソーラーセルのすべてが互いに接近する中心部に設けられ、指針を運針させるための指針軸が挿入する軸挿入孔と、を備えていることを特徴とするソーラーパネルである。
【発明の効果】
【０００９】
この発明によれば、複数の扇形状のソーラーセルのすべてが互いに接近する中心部付近に複数の接続部を集約することができるので、複数の接続部による受光面積の減少を軽減することができると共に、ソーラーセル上を移動する指針などによる受光面積の変動を軽減することができる。これにより、受光面積を増やすことができると共に、受光面積の変化による電力のロスを軽減することができ、発電効率を高めることができる。
【図面の簡単な説明】
【００１０】
【図１】この発明を腕時計に適用した第１実施形態における時計モジュールを示した拡大正面図である。
【図２】図１に示された時計モジュールのＡ−Ａ矢視における拡大断面図である。
【図３】図１に示された時計モジュールの指針を示し、（ａ）は時針を示した拡大正面図、（ｂ）は分針を示した拡大正面図である。
【図４】図１に示された時計モジュールのソーラーパネルを示した拡大正面図である。
【図５】図４に示されたソーラーパネルのＡ部における拡大断面図である。
【図６】図４に示されたソーラーパネルの各接続部を目隠し印刷して指針を取り付けた状態を示した拡大正面図である。
【図７】この発明を腕時計に適用した第２実施形態において、ソーラーパネルを示した拡大正面図である。
【図８】図７に示されたソーラーパネルのＢ部における拡大断面図である。
【図９】この発明のソーラーパネルにおける接続部の第１変形例を示した拡大正面図である。
【図１０】この発明のソーラーパネルの第２変形例を示した拡大正面図である。
【図１１】この発明のソーラーパネルにおける接続部の第３変形例を示した拡大正面図である。
【発明を実施するための形態】
【００１１】
（第１実施形態）
以下、図１〜図６を参照して、この発明を指針式の腕時計に適用した第１実施形態について説明する。
この腕時計は、図１および図２に示すように、時計モジュール１を備えている。この時計モジュール１は、腕時計ケース（図示せず）内に配置されるものであり、ハウジング２を有している。
【００１２】
このハウジング２の上面には、図１および図２に示すように、ソーラーパネル３が配置されており、このソーラーパネル３の上面には、文字板４が配置されている。また、このハウジング２の内部には、時計ムーブメント５が設けられている。この時計ムーブメント５は、指針軸６を回転させることにより、時針７ａ、分針７ｂなどの指針７を運針させるように構成されている。
【００１３】
この場合、文字板４は、透明または半透明のフィルムであり、図１に示すように、ほぼ円形状に形成されている。この文字板４の上面における周縁部には、時字８が所定間隔で設けられている。指針軸６は、図２に示すように、筒状の時針軸６ａと、この時針軸６ａ内に回転可能に配置された分針軸６ｂとを有し、ソーラーパネル３の中心部に設けられた軸挿入孔３ａと、文字板４の中心部に設けられた軸挿入孔４ａとを通して、文字板４の上方に突出するように構成されている。
【００１４】
また、指針７は、図１〜図３に示すように、指針軸６の上端部にそれぞれ取り付けられている。すなわち、時針７ａは指針軸６の時針軸６ａの上端部に取り付けられており、分針７ｂは指針軸６の分針軸６ｂの上端部に取り付けられている。これにより、時計ムーブメント５は、指針軸６を回転させると、時針７ａ、分針７ｂなどの指針７が文字板４の上方で運針することにより、時刻を指示するよう構成されている。
【００１５】
ところで、ソーラーパネル３は、図１および図４に示すように、文字板４と同じ大きさのほぼ円形状に形成されている。このソーラーパネル３は、複数のソーラーセル１１〜１６を備えている。これら複数のソーラーセル１１〜１６は、図４に示すように、フィルム基板１０の上面に軸挿入孔３aを中心とする円形状に配列されている。この場合、複数のソーラーセル１１〜１６は、円形を６分割することにより、それぞれほぼ扇形状に形成されていると共に、各形状が異なっても各受光面積が同じ大きさになるように形成されている。
【００１６】
また、複数のソーラーセル１１〜１６は、図４に示すように、これらのすべてが互いに接近する中心部付近に設けられた複数の接続部１７〜２１によって電気的に接続されている。すなわち、これら複数の接続部１７〜２１は、互いに隣接する複数のソーラーセル１１〜１６を順次直列に接続するように構成されている。
【００１７】
この場合、各ソーラーセル１１〜１６は、図５に示すように、フィルム基板１０上にアルミニウムなどの金属からなる下部電極２２がパターン形成され、この下部電極２２上にアモルファスシリコン（ａ―Ｓ１）などの半導体層からなる発電層２３がパターン形成され、この発電層２３上にＩＴＯ（Indium  Tin  Oxide）などの透明な上部電極２４がパターン形成され、この上部電極２４が絶縁性を有する透明な合成樹脂からなる保護膜２５によって覆われた構成になっている。
【００１８】
これにより、複数のソーラーセル１１〜１６は、図５に示すように、太陽光などの外部光が透明な保護膜２５に照射されると、この照射された外部光が保護膜２５および透明な上部電極２４を透過して発電層２３に入射し、この入射した外部光によって発電層２３が起電力を発生し、これにより発電をするように構成されている。
【００１９】
一方、複数の接続部１７〜２１は、図４に示すように、複数のソーラーセル１１〜１６のすべてが互いに接近する中心部付近、つまりソーラーパネル３におけるフィルム基板１０の中心部にその上下に貫通して設けられた軸挿入孔３aの外周に沿って環状に設けられている。この場合、複数の接続部１７〜２１は、軸挿入孔３aの外周に極力近い位置に設けられていることが望ましく、また複数の接続部１７〜２１の各間隔は、極力短いことが望ましい。
【００２０】
また、複数の接続部１７〜２１が位置する箇所における複数のソーラーセル１１〜１６の各分割線は、図４に示すように、軸挿入孔３aを中心に、３６０度をほぼ均等に分ける位置に設けられている。すなわち、複数の接続部１７〜２１が設置される各ソーラーセル１１〜１６は、その円周方向に等間隔で分割されて形成されている。
【００２１】
このような複数の接続部１７〜２１は、図５に示すように、それぞれ導電ペーストからなり、互いに隣接する一方のソーラーセル１１〜１６の各下部電極２２と、これに隣接する他方のソーラーセル１１〜１６の各上部電極２４とを、それぞれ接続するように構成されている。
【００２２】
この場合、互いに隣接するソーラーセル１１〜１６のうち、例えば第１ソーラーセル１１と第２ソーラーセル１２とは、図５に示すように、その両者の間に形成された絶縁層２６によって分離されている。また、この絶縁層２６に隣接する箇所に位置する第１ソーラーセル１１は、その上部電極２４と発電層２３との一部分がエッチングによって除去されて下部電極２２が十分な広さで露呈している。
【００２３】
すなわち、下部電極２２が露呈する部分は、図５に示すように、接続部１７が下部電極２２とこれに隣接する上部電極２４とを接続するのに必要な十分に広い面積で形成されている。これにより、露呈した第１ソーラーセル１１の下部電極２２の上面と、これに隣接する第２ソーラーセル１２の上部電極２４の上面とは、接続部１７によって高い接続信頼性をもって電気的に接続されている。
【００２４】
この接続部１７は、図５に示すように、絶縁層２６を覆って導電ペーストを第１ソーラーセル１１の下部電極２２の上面、およびこれに隣接する第２ソーラーセル１２の上部電極２４の上面に亘って塗布し、この塗布された導電ペーストをパターニングすることによって形成されている。この場合、接続部１７は、第１ソーラーセル１１の上部電極２４および発電層２３に接触しないように、パターン形成されている。
【００２５】
そして、第１ソーラーセル１１の上部電極２４と、第２ソーラーセル１２の上部電極２４と、接続部１７とは、絶縁性を有する透明な保護膜２５によって覆われている。同様にして、第２ソーラーセル１２の下部電極２２と第３ソーラーセル１３の上部電極２４とは、図４に示すように、接続部１８によって電気的に接続されており、第３ソーラーセル１３の下部電極２２と第４ソーラーセル１４の上部電極２４とは、接続部１９によって電気的に接続されている。
【００２６】
また、第４ソーラーセル１４の下部電極２２と第５ソーラーセル１５の上部電極２４とは、図４に示すように、接続部２０によって電気的に接続されており、第５ソーラーセル１５の下部電極２２と第６ソーラーセル１６の上部電極２４とは、接続部２１によって電気的に接続されている。
【００２７】
そして、これら複数の接続部１７〜２１は、図６に示すように、目隠し用の印刷層２９によって覆われている。この場合、複数の接続部１７〜２１および目隠し用の印刷層２９は、これらをパターン形成する際に、図４および図６に示すように、フィルム基板１０に設けられた軸挿入孔３ａを位置合せの基準として利用して、パターニング用のマスクを位置合せし、この状態でパターニングすることにより、最小限の面積で形成されている。
【００２８】
ところで、第１ソーラーセル１１と第６ソーラーセル１６とは、図４および図６に示すように、一対の接続電極２７、２８に接続されている。これら一対の接続電極２７、２８は、第１ソーラーセル１１と第６ソーラーセル１６との各外周部が互いに隣接する箇所におけるフィルム基板１０の下面にそれぞれ設けられている。
【００２９】
すなわち、一対の接続電極２７、２８のうち、一方の接続電極２７は、図４および図６に示すように、第１ソーラーセル１１の外周部に対応する箇所におけるフィルム基板１０の下面に設けられ、第１ソーラーセル１１の下部電極２２とスルーホール（図示せず）を介して電気的に接続されている。また、他方の接続電極２８は、第６ソーラーセル１６の外周部に対応する箇所におけるフィルム基板１０の下面に設けられ、第６ソーラーセル１６の上部電極２４とスルーホール（図示せず）を介して電気的に接続されている。
【００３０】
また、これら一対の接続電極２７、２８は、時計モジュール１内の回路基板（図示しせず）と電気的に接続されている。これにより、ソーラーパネル３は、図４および図６に示すように、各ソーラーセル１１〜１６で発電した電力が一対の接続電極２７、２８から回路基板の充電池（図示せず）に送られて充電され、この充電池に充電された電力が回路基板および時計ムーブメント５に供給されるように構成されている。
【００３１】
次に、このような腕時計の作用について説明する。
通常は、時計ムーブメント５に電力が供給されていることにより、時計ムーブメント５が動作して指針軸６を回転させ、この指針軸６によって時針７ａおよび分針７ｂなどの指針７が文字板４の上方を運針して、時刻を指示する。
【００３２】
このときには、太陽光などの外部光が文字板４に照射され、この照射された外部光が文字板４を透過してソーラーパネル３の複数のソーラーセル１１〜１６にそれぞれ照射される。すると、この外部光は、各ソーラーセル１１〜１６の透明な保護膜２５および透明な上部電極２４をそれぞれ透過して、各発電層２３に照射され、この照射された外部光によって各発電層２３がそれぞれ発電する。
【００３３】
すなわち、各発電層２３は外部光が照射されると、その照射量に応じてそれぞれ起電力を発生する。この発生した起電力は各接続部１７〜２１によって第１ソーラーセル１１の接続電極２７と第６ソーラーセル１６の接続電極２８とから時計モジュール１内の回路基板の充電池（いずれも図示せず）に送られて充電される。
【００３４】
このようにソーラーパネル３が発電する際には、図６に示すように、文字板４の上方を運針する指針７によってソーラーパネル３に照射される外部光が遮られるので、指針７が対応する第１〜第６のソーラーセル１１〜１６のいずれかの発電量が少し低下する。このため、ソーラーパネル３で出力される電流値は、各ソーラーセル１１〜１６で発電する電流値の中の最小値となり、指針７が対応する各ソーラーセル１１〜１６のいずれかが出力する電流値の上限が制限される。
【００３５】
この場合、複数のソーラーセル１１〜１６を順次直列に接続する各接続部１７〜２１は、複数のソーラーセル１１〜１６が互いに接近する中心部付近、つまりソーラーパネル３におけるフィルム基板１０の中心部にその上下に貫通して設けられた軸挿入孔３aの外周に沿って環状に設けられているので、複数の接続部１７〜２１を指針７の回転中心である指針軸６付近に設置することにより、指針７の回転中心付近における指針７の影になる領域内に各接続部１７〜２１を納めることができる。
【００３６】
このため、このソーラーパネル３では、複数の接続部を各ソーラーセルの外周部に設けた場合に比べて、複数のソーラーセル１１〜１６の受光面積が複数の接続部１７〜２１によって減少するのを軽減することができる。また、複数の接続部１７〜２１が軸挿入孔３aの外周に沿って環状に設けられているので、複数の接続部１７〜２１の各接続距離が短くなり、これら接続部１７〜２１による電気抵抗が軽減され、電気抵抗による電力のロスが軽減される。
【００３７】
また、この場合には、複数のソーラーセル１１〜１６がそれぞれ扇状に形成されて円形状に配列されていると共に、この円形状の中心付近である軸挿入孔３aの外周に沿って複数の接続部１７〜２１が環状に設けられているので、複数の接続部を各ソーラーセルの外周部に設けた場合に比べて、各ソーラーセル１１〜１６でそれぞれ発電した起電流が各接続部１７〜２１に向けて均一で規則的に流れることになり、これにより安定した電力が得られると共に、電気抵抗による電力のロスも軽減される。
【００３８】
さらに、複数の接続部１７〜２１が設置される箇所の各ソーラーセル１１〜１６は、その円周方向に等間隔に分割されていることにより、複数の接続部１７〜２１を均一に形成することができると共に、複数の接続部１７〜２１のばらつきを少なくすることができ、これにより各接続部１７〜２１の長さを均一で短く形成することができる。
【００３９】
このように、この腕時計のソーラーパネル３によれば、ほぼ円形状に配列された複数のソーラーセル１１〜１６と、複数のソーラーセル１１〜１６のすべてが互いに接近する中心部付近に設けられて、複数のソーラーセル１１〜１６を電気的に接続する複数の接続部１７〜２１と、を備えているので、受光面積を増やすと共に、受光面積の変化による電力のロスを軽減して、発電効率を高めることができる。
【００４０】
すなわち、このソーラーパネル３では、複数のソーラーセル１１〜１６のすべてが互いに接近する中心部付近に複数の接続部１７〜２１を集約することができるので、複数の接続部１７〜２１によって各ソーラーセル１１〜１６の受光面積が減少するのを軽減することができると共に、ソーラーセル１１〜１６上を移動する複数の指針７による受光面積の変動を軽減することができる。
【００４１】
このため、複数のソーラーセル１１〜１６の受光面積を増やすことができると共に、受光面積の変化による電力のロスを大幅に軽減することができ、発電効率を高めることができる。この場合、複数の接続部１７〜２１が複数のソーラーセル１１〜１６の互いに接近する中心部付近に設けられているので、複数の接続部を各ソーラーセルの外周部に設けた場合に比べて、各接続部１７〜２１に向けて流れる起電流の距離をほぼ均一で規則的に短くすることができ、これによっても発電効率を高めることができる。
【００４２】
また、複数のソーラーセル１１〜１６は、それぞれ形状が異なっても、受光面積が同じ大きさになるように形成されているので、各ソーラーセル１１〜１６に太陽光などの外部光が照射された際に、各ソーラーセル１１〜１６でそれぞれほぼ同じ電力を発電することができ、これにより効率良く発電することができる。
【００４３】
また、複数の接続部１７〜２１は、互いに隣接する複数のソーラーセル１１〜１６を順次直列に接続しているので、ソーラーパネル３で出力される電流値が、各ソーラーセル１１〜１６で発電する電流値の中の最小値となるが、各ソーラーセル１１〜１６でそれぞれ同じ電力を発電することにより、安定した電力を発電することができる。
【００４４】
すなわち、このソーラーパネル３では、複数のソーラーセル１１〜１６が各下部電極２２と各上部電極２４との間に各発電層２３を有し、複数の接続部１７〜２１が複数のソーラーセル１１〜１６のうち、互いに隣接する一方のソーラーセル１１〜１６の各下部電極２２と、これに隣接する他方のソーラーセル１１〜１６の各上部電極２４とを、それぞれ接続しているので、互いに隣接する複数のソーラーセル１１〜１６を順次直列に接続することができ、これにより安定した電力を発電することができる。
【００４５】
また、このソーラーパネル３は、複数のソーラーセル１１〜１６のすべてが互いに接近する中心部に、指針７を運針させるための指針軸６が挿入する軸挿入孔３ａが設けられていることにより、この軸挿入孔３ａを位置合せの基準として利用することができる。このため、複数のソーラーセル１１〜１６の各受光面積が同じ大きさになるように、各ソーラーセル１１〜１６を円形状に配列させて正確に形成することができる。
【００４６】
この場合、このソーラーパネル３では、複数のソーラーセル１１〜１６を接続する複数の接続部１７〜２１、およびこれら各接続部１７〜２１を覆う目隠し用の印刷層２９を形成する際に、フィルム基板１０に設けられた軸挿入孔３ａを位置合せの基準とすることにより、パターニングする際のマスクを正確に位置合せしてパターニングすることができるので、複数の接続部１７〜２１を正確に形成することができると共に、目隠し用の印刷層２９を最小限の面積で形成することができ、これにより受光面積を広くすることができる。
【００４７】
また、複数の接続部１７〜２１は、軸挿入孔３ａの外周に沿って環状に設けられていることにより、複数の接続部１７〜２１の設置領域を軸挿入孔３ａの外周にコンパクトに集約することができ、これにより複数の接続部１７〜２１における設置のばらつきを防ぐことができると共に、指針７の回転中心付近における指針７の影になる領域内に各接続部１７〜２１を納めることができる。
【００４８】
また、複数の接続部１７〜２１は、軸挿入孔３ａの外周に沿って環状に設けられていることにより、複数の接続部１７〜２１の配列形状がシンプルになり、面積計算を含めたソーラーセル１１〜１６の設計が容易になり、ソーラーセル１１〜１６の設計時間を短縮することができる。
【００４９】
この場合、複数のソーラーセル１１〜１６は、指針７によって照射される外部光が遮られて、指針７が対する第１〜第６のソーラーセル１１〜１６のいずれかの発電量が少し低下し、ソーラーパネル３で出力される電流値が、各ソーラーセル１１〜１６で発電する電流値の中の最小値となり、指針７が対応する各ソーラーセル１１〜１６のいずれかが出力する電流値の上限が制限されるので、このことを考慮することにより、面積計算を含めたソーラーセル１１〜１６の設計が容易になる。
【００５０】
さらに、このソーラーパネル３では、複数のソーラーセル１１〜１６が６個であり、複数の接続部１７〜２１が複数のソーラーセル１１〜１６の数よりも１箇所少ない５箇所であることにより、複数の接続部１７〜２１によって複数のソーラーセル１１〜１６の受光面積が減少するのを軽減することができ、これによっても発電効率を向上させることができる。
【００５１】
（第２実施形態）
次に、図７および図８を参照して、この発明を適用した腕時計の第２実施形態について説明する。なお、図１〜図６に示された第１実施形態と同一部分には同一符号を付して説明する。
この腕時計のソーラーパネル３０は、図７および図８に示すように、複数の接続部３１〜３５が第１実施形態と異なる構成であり、これ以外は第１実施形態と同じ構成である。
【００５２】
すなわち、複数の接続部３１〜３５は、図８に示すように、それぞれ導電ペーストからなり、互いに隣接する一方のソーラーセル１１〜１６の各下部電極２２と、これに隣接する他方のソーラーセル１１〜１６の各上部電極２４とを、それぞれ接続するように構成されている。この場合、互いに隣接するソーラーセル１１〜１６のうち、例えば第１ソーラーセル１１と第２ソーラーセル１２とは、その両者の間に形成された絶縁層３６によって分離されている。
【００５３】
また、この絶縁層３６に隣接する箇所の第１ソーラーセル１１は、その上部電極２４と発電層２３との一部分にレーザー光線によってビアホール３７が形成され、このビアホール３７の底部に下部電極２２が対応している。そして、この第１ソーラーセル１１の上部電極２４の上面とビアホール３７の内部とには、絶縁層３６が形成されている。この絶縁層３６は、第１ソーラーセル１１と第２ソーラーセル１２との間に形成された絶縁層３６と同じものである。
【００５４】
この状態で、ビアホール３７の内部の絶縁層３６には、レーザー光線によってスルーホール３８が形成されている。このスルーホール３８の底部には、下部電極２２の上面が対応している。このスルーホール３８の内部、絶縁層３６の上面、および第２ソーラーセル１２の上部電極２４の上面には、導電ペーストが塗布されてパターニングされることにより、接続部３１が形成されている。
【００５５】
この接続部３１は、図８に示すように、スルーホール３８を介して第１ソーラーセル１１の下部電極２２と、これに隣接する第２ソーラーセル１２の上部電極２４とを、電気的に接続している。この状態で、接続部３１の上面、この接続部３１の外周に位置する絶縁層３６、第１ソーラーセル１１の上部電極２４の一部、および第２ソーラーセル１２の上部電極２４の一部には、目隠し用の印刷層３９が形成されている。
【００５６】
そして、第１ソーラーセル１１の上部電極２４と、第２ソーラーセル１２の上部電極２４と、接続部３１を覆う印刷層３９とは、第１実施形態と同様、絶縁性を有する透明な保護膜２５によって覆われている。同様にして、第２ソーラーセル１２の下部電極２２と第３ソーラーセル１３の上部電極２４とは、図７に示すように、接続部３２によって電気的に接続されている。
【００５７】
また、第３ソーラーセル１３の下部電極２２と第４ソーラーセル１４の上部電極２４とは、図７に示すように、接続部３３によって電気的に接続されており、第４ソーラーセル１４の下部電極２２と第５ソーラーセル１５の上部電極２４とは、接続部３４によって電気的に接続されている。さらに、第５ソーラーセル１５の下部電極２２と第６ソーラーセル１６の上部電極２４とは、接続部３５によって電気的に接続されている。
【００５８】
このようなソーラーパネル３０によれば、第１実施形態と同様の作用効果があるほか、複数の接続部３１〜３５が互いに隣接する複数のソーラーセル１１〜１６を順次直列に接続する際に、複数のソーラーセル１１〜１６のうち、互いに隣接する一方のソーラーセル１１〜１６の下部電極２２と、これに隣接する他方のソーラーセル１１〜１６の上部電極２４とをそれぞれ複数の接続部３１〜３５によって確実に接続することができるので、第１実施形態と同様、効率良く発電することができる。
【００５９】
この場合にも、複数の接続部３１〜３５は、複数のソーラーセル１１〜１６のすべてが互いに接近する中心部に設けられて指針７を運針させるための指針軸６が挿入する軸挿入孔３ａの外周に沿って環状に形成されているので、第１実施形態と同様、複数の接続部３１〜３５の設置領域を軸挿入孔３ａの外周にコンパクトに集約することができる。
【００６０】
これにより、複数の接続部３１〜３５における設置のばらつきを防ぐことができると共に、指針７の回転中心付近における指針７の影になる領域内に各接続部３１〜３５を納めることができる。このため、複数の接続部を各ソーラーセルの外周部に設けた場合に比べて、複数のソーラーセル１１〜１６の受光面積が複数の接続部３１〜３５によって減少するのを抑えることできるので、各ソーラーセル１１〜１６の受光面積を広くすることができる。
【００６１】
また、このソーラーパネル３０は、複数のソーラーセル１１〜１６のすべてが互いに接近する中心部に、指針７を運針させるための指針軸６が挿入する軸挿入孔３ａが設けられていることにより、この軸挿入孔３ａを位置合せの基準として利用することができる。このため、複数のソーラーセル１１〜１６の各受光面積が同じ大きさになるように、各ソーラーセル１１〜１６を円形状に配列させて正確に形成することができる。
【００６２】
この場合にも、このソーラーパネル３０では、複数のソーラーセル１１〜１６を接続する複数の接続部３１〜３５、およびこれら各接続部３１〜３５を覆う目隠し用の印刷層３９を形成する際に、フィルム基板１０に設けられた軸挿入孔３ａを位置合せの基準とすることにより、パターニングする際のマスクを正確に位置合せしてパターニングすることができるので、複数の接続部３１〜３５を正確に形成することができると共に、目隠し用の印刷層２９を最小限の面積で形成することができ、これにより受光面積を広くすることができる。
【００６３】
なお、上述した第１、第２の各実施形態では、ソーラーパネル３、３０のソーラーセル１１〜１６を接続する第１〜第５の各接続部１７〜２１、３１〜３５のすべてをフィルム基板１０に設けられた軸挿入孔３ａの外周部に接近させて設けた場合について述べたが、これに限らず、例えば図９に示す第１変形例のように、第１〜第５の各接続部１７〜２１、３１〜３５を、ソーラーパネル３、３０の中心部付近とソーラーパネル３、３０の外周部付近とに交互に設けた構成であっても良い。
【００６４】
すなわち、第１ソーラーセル１１と第２ソーラーセル１２とを接続する第１接続部１７、３１を軸挿入孔３ａの外周部である中心部付近に設け、第２ソーラーセル１２と第３ソーラーセル１３とを接続する第２接続部１８、３２を第２ソーラーセル１２と第３ソーラーセル１３との外周縁部に設ける。
【００６５】
同様にして、第３ソーラーセル１３と第４ソーラーセル１４とを接続する第３接続部１９、３３を軸挿入孔３ａの外周部である中心部付近に設け、第４ソーラーセル１４と第５ソーラーセル１５とを接続する第４接続部２０、３４をこれらの外周縁部に設け、さらに第５ソーラーセル１５と第６ソーラーセル１６とを接続する第５接続部２１、３５を軸挿入孔３ａの外周部である中心部付近に設ける。
【００６６】
この第１変形例のように、第１〜第５の各接続部１７〜２１、３１〜３５をソーラーパネル３、３０の中心部付近とソーラーパネル３、３０の外周部付近とに交互に設けた構成にすれば、第１〜第５の各接続部１７〜２１、３１〜３５によって第１〜第６の各ソーラーセル１１〜１６内における電流の流れが効率的になり、特に高照度における電流特性を向上させることができる。
【００６７】
また、上述した第１、第２の各実施形態では、ソーラーパネル３、３０のソーラーセル１１〜１６を６分割し、これらを接続する複数の接続部１７〜２１、３１〜３５を５箇所に設けた構成である場合について述べたが、これに限らず、ソーラーセルをｎ個に分割し、接続部を（ｎ−１）箇所に設けた構成であれば、ソーラーセルの個数および接続部の設置数が、いくつであっても良い。
【００６８】
例えば、図１０に示す第２変形例のように、ソーラーセルを５分割した構成であっても良い。この場合、各ソーラーセル４１〜４５はその形状が異なって形成されていても、受光面積がほぼ同じになるように形成されていれば良い。この場合にも、第１変形例と同様、各ソーラーセル４１〜４５を接続する第１〜第４の各接続部４６〜４９を中心部付近と外周部付近とに交互に設けた構成であっても良い。
【００６９】
また、上述した第１、第２の各実施形態では、ソーラーパネル３、３０のソーラーセル１１〜１６を接続する第１〜第５の各接続部１７〜２１、３１〜３５を円形状に配列させて形成した場合について述べたが、これに限らず、例えば図１１に示す第３変形例のように、複数の接続部が５個であれば五角形などのように、接続部の個数に応じた多角形状に形成しても良い。
【００７０】
さらに、上述した第１、第２の各実施形態では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、他の電子機器にも適用することができる。
【００７１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７２】
（付記）
請求項１に記載の発明は、ほぼ円形状に配列された複数の扇形状のソーラーセルと、前記複数の扇形状のソーラーセルのすべてが互いに接近する中心部付近に設けられ、かつ前記複数の扇形状のソーラーセルを電気的に接続する複数の接続部と、前記複数の扇形状のソーラーセルのすべてが互いに接近する中心部に設けられ、指針を運針させるための指針軸が挿入する軸挿入孔と、を備えていることを特徴とするソーラーパネルである。
【００７３】
請求項２に記載の発明は、前記複数の扇形状のソーラーセルは、それぞれ受光面積が同じ大きさになるように形成されていることを特徴とする請求項１に記載のソーラーパネルである。
【００７４】
請求項３に記載の発明は、前記複数の接続部は、互いに隣接する前記複数の扇形状のソーラーセルを順次直列に接続することを特徴とする請求項１または請求項２に記載のソーラーパネルである。
【００７５】
請求項４に記載の発明は、前記複数の扇形状のソーラーセルは、下部電極と上部電極との間に発電層を有しており、前記複数の接続部は、前記複数の扇形状のソーラーセルのうち、互いに隣接する一方の扇形状のソーラーセルの前記下部電極と、これに隣接する他方の扇形状のソーラーセルの前記上部電極とを、それぞれ接続することを特徴とする請求項３に記載のソーラーパネルである。
【００７６】
請求項５に記載の発明は、前記複数の接続部は、前記軸挿入孔の外周に沿って環状に設けられていることを特徴とする請求項１〜請求項４のいずれかに記載のソーラーパネルである。
【００７７】
請求項６に記載の発明は、前記複数の接続部は、前記複数の扇形状のソーラーセルがｎ個である場合に、ｎ−１個であることを特徴とする請求項１〜請求項５のいずれかに記載のソーラーパネルである。
【符号の説明】
【００７８】
１  時計モジュール
２  ハウジング
３、３０  ソーラーパネル
３ａ  軸挿入孔
４  文字板
５  時計ムーブメント
６  指針軸
７  指針
１０  フィルム基板
１１〜１６、４１〜４５  複数のソーラーセル
１７〜２１、３１〜３５、４６〜４９  複数の接続部
２２  下部電極
２３  発電層
２４  上部電極
２５  保護膜
２６、３６  絶縁層
２７、２８  接続電極
２９、３９  印刷層
【図１】
2014049723.tif 000003
【図２】
2014049723.tif 000004
【図３】
2014049723.tif 000005
【図４】
2014049723.tif 000006
【図５】
2014049723.tif 000007
【図６】
2014049723.tif 000008
【図７】
2014049723.tif 000009
【図８】
2014049723.tif 000010
【図９】
2014049723.tif 000011
【図１０】
2014049723.tif 000012
【図１１】
2014049723.tif 000013